(57)【特許請求の範囲】
【請求項１】
壁面の入隅を挟んで一方の側に第１の擬石が配置され、他方の側に第２の擬石が配置されており、
該第１の擬石の木口面が第２の擬石の前面の一端側に当接している入隅構造において、
該第１の擬石の木口面は略平坦であり、
該第２の擬石の前面のうち前記第１の擬石が対面した前記一端側にあっては、端縁に沿う部分が略平坦な平坦部であり、該端縁から離隔した部分が該平坦部よりも前方へ非突出となっており、
該一端側の前記端縁からの幅は、該平坦部における該第２の擬石の厚さＴと略同等であり、
該平坦部の前記端縁からの幅は、該厚さＴの０．５〜１倍であり、
前記第１の擬石の前面と、該第２の擬石の前面のうち該平坦部以外とは、それぞれ、天然石の割り石調の凹凸面となっていることを特徴とする入隅構造。
【請求項２】
請求項１において、前記平坦部の幅は、前記厚さＴの０．６〜０．９倍であることを特徴とする入隅構造。
【請求項３】
請求項１又は２において、前記平坦部は、その面積の５０％以上が高低差２ｍｍ以下の実質的な平面よりなり、残部が該平面よりも凹陥した凹所であることを特徴とする入隅構造。
【発明の詳細な説明】
【技術分野】
【０００１】
本発明は、外壁などの壁面における入隅構造に関する。
【背景技術】
【０００２】
Ｉ．前面を凹凸面としたセメント成形品、珪酸カルシウム成形品等よりなる擬石が外装壁材に広く用いられている。この凹凸面を割り石面調あるいは組み積み調とすることにより、独得の凹凸趣に富んだ壁面が構築される。
【０００３】
II．壁面の入隅にあっては、コーナー部の左側の外装材の前面と右側の外装材の前面とが直交するように外装材が配置されている。
【０００４】
III．特開平８−２３２３５４号に記載されているように、従来の外壁の入隅構造にあっては、第１の外装材の木口面を第２の外装材の前面の一端側に当接させているが、この入隅構造では、第２の外装材の前面の凹凸模様の凹所が深いときには、第２の外装材の前面と第１の外装材の木口面との間の空隙が大きくなってしまう。
【０００５】
IV．同号公報の図１，４には、外装材の木口面を斜めにカットし、この斜面同士を突き合わせるようにした入隅構造が記載されている。
【０００６】
しかしながら、この入隅構造では、第１の外装材と第２の外装材における斜面の前面側の角縁を正確に合致させないと、角縁のズレが目立ち、外観上の異和感が生じてしまう。同号公報の図１，４では、外装材前面の該斜面に沿う部分を外装材板面と平行な平面としてこの問題を解決しようとしているが、この平面が入隅に沿って上下方向に連続した帯状に延在することになるので、これによる外観上の異和感が生じる。
【０００７】
特に、外装材として、天然石の割り石調の前面を有した擬石を用いた場合、人工的な帯状平面が上下に連続することにより、外観上の異和感が際立ったものとなる。
【特許文献１】特開平８−２３２３５４号公報
【発明の開示】
【発明が解決しようとする課題】
【０００８】
本発明は、上記従来の問題点を解決し、自然調の外観が損なわれず、美観に優れた入隅構造を提供することを目的とする。
【課題を解決するための手段】
【０００９】
本発明（請求項１）の入隅構造は、壁面の入隅を挟んで一方の側に第１の擬石が配置され、他方の側に第２の擬石が配置されており、該第１の擬石の木口面が第２の擬石の前面の一端側に当接している入隅構造において、該第１の擬石の木口面は略平坦であり、該第２の擬石の前面のうち前記第１の擬石が対面した前記一端側にあっては、端縁に沿う部分が略平坦な平坦部であり、該端縁から離隔した部分が該平坦部よりも前方へ非突出となっており、該一端側の前記端縁からの幅は、該平坦部における該第２の擬石の厚さＴと略同等であり、該平坦部の前記端縁からの幅は、該厚さＴの０．５〜１倍であり、前記第１の擬石の前面と、該第２の擬石の前面のうち該平坦部以外とは、それぞれ、天然石の割り石調の凹凸面となっていることを特徴とするものである。  
請求項２の入隅構造は、請求項１において、前記平坦部の幅は、前記厚さＴの０．６〜０．９倍であることを特徴とするものである。  
請求項３の入隅構造は、請求項１又は２において、前記平坦部は、その面積の５０％以上が高低差２ｍｍ以下の実質的な平面よりなり、残部が該平面よりも凹陥した凹所であることを特徴とするものである。
【発明の効果】
【００１０】
本発明の入隅構造にあっては、第１の擬石の木口面が第２の擬石の前面の一端側の平坦部に当接し、この箇所では両者間の隙間は殆どないものとなる。このため、雨水、風雪等の流入が防止されると共に、壁下地が透けて見えることも防止され、美観が向上する。
【００１１】
なお、第２の擬石の一端側にあっては、その全体が平坦部であってもよく、端縁に沿う部分のみが平坦部であってもよい。前者の通り、一端側の全体を平坦部とした場合には、雨水や風雪等の流入がより十分に防止され、美観も著しく優れたものとなる。
【００１２】
後者のように第２の擬石の一端側の端縁に沿う部分のみを平坦部とした場合には、第１の擬石の厚さが規定厚さよりも小さい場合であっても、平坦部が露見せず、美観が良好なものとなる。
【００１３】
本発明にあっては、平坦部の幅は、第２の擬石の該平坦部における厚さＴの０．５〜１倍となっているので、雨水等の流入や下地の透け通しが十分に防止される。
【発明を実施するための最良の形態】
【００１４】
以下、図面を参照して実施の形態について説明する。第１図は実施の形態に係る入隅構造を示す水平断面図、第２図（ａ）は第１図における擬石同士の突き合せ部分の拡大図、第２図（ｂ）は同（ａ）における第２の擬石の一端側付近の水平断面図、第３図は第１及び第２の擬石の突き合せ構造を示す分解斜視図である。
【００１５】
入隅の柱１に添え木２が取り付けられ、その前面側に透湿防水シート３が取り付けられている。添え木２に対し縦胴縁４が取り付けられており、この縦胴縁４の前面側に下地サイディング５ａ，５ｂが釘打ち６等により取り付けられている。入隅にあっては、一方のサイディング５ａの木口面が他方のサイディング５ｂの前面の一端側に対峙し、両者間の隙間にシーリング材７が充填されている。
【００１６】
サイディング５ａの前面に接着剤によって第１の擬石１１が接着され、サイディング５ｂの前面に接着剤によって第２の擬石１２が接着されている。入隅から離隔した部位には通常の擬石１３が接着されている。擬石１３と第１の擬石１１とは、全く同一であるか、又は第１の擬石１１が幅寸法調整されている以外は同一とされている。
【００１７】
第３図の通り、擬石１１，１３の前面は全体として凹凸面となっている。なお、第３図では、擬石表面の細かい凹凸は図示が省略され、大きな凹凸のみが記載されている。
【００１８】
第２，３図の通り、この実施の形態にあっては、第２の擬石１２の一端側ａに対し、第１の擬石１１の木口面１１ｅが突き合わされている。この一端側ａにあっては、第２の擬石１２の端縁ｅに沿う部分が平坦部ｂとなっており、端縁ｅから離隔した部分が非突出部ｃとなっている。この非突出部は、平坦部ｂと面一の面（延長面）よりも突出することのないものである。該非突出部ｃは、図示の通り、そのすべてが平坦部ｂよりも後退していてもよい。また、図示はしないが、非突出部に設けられた一部の突部が平坦部ｂと面一の面まで隆起するものとなっていてもよい。
【００１９】
雨水の流入防止等のためには、この一端側ａの幅は、１０ｍｍ以上特に１５ｍｍ以上とりわけ２０ｍｍ以上であることが好ましい。平坦部ｂにおける第２の擬石１２の厚さＴは、通常は１５〜５０ｍｍ程度である。第１の擬石１１の厚さも、多くの場合、第２の擬石１２と略々同等程度であることから、該一端側ａの幅は、該第２の擬石１２の厚さＴと略々同等である。そのため、平坦部ｂの幅（第２図（ｂ）においてｂの長さ）がＴの０．５倍以上であれば、第１の擬石１１の木口面１１ｅの半分以上が平坦部ｂと重なり合うことになり、雨水等の流入防止及び下地サイディング５ａの透視防止の効果が十分なものとなる。また、平坦部ｂの幅がＴ以下であれば、平坦部ｂが木口面１１ｅからはみ出して露出することが無く、美観が良好なものとなる。このようなことから、平坦部ｂの幅はＴの０．５〜１倍とくに０．６〜０．９倍程度であることが好ましい。
【００２０】
なお、この実施の形態では、平坦部ｂに隣接した領域が該平坦部ｂよりも後退した非突出部ｃとなっている。このため、第１の擬石１１の厚さが少々該一端側ａの幅よりも小さい場合であっても、平坦部ｂは露出せず、美観が良好である。
【００２１】
上記の平坦部ｂは、板面の如き平滑面である必要はない。即ち、擬石は、通常、例えばセメントや珪酸カルシウム等の材料を成形型を用いて成形されて製造されたものであり、その木口面は一般のセメント成形品、珪酸カルシウム成形品と同等程度の平面となっている。従って、この木口面に当接する平坦部も、これと同等程度の平面となっていれば十分である。また、平坦部の面積の５０％以上が高低差２ｍｍ以下の実質的な平面よりなり、残部が該平面よりも凹陥した凹所であってもよい。
【００２２】
即ち、平坦部ｂは、平面のみからなるものであってもよく、部分的には該平面から凹陥した凹所となっているものであってもよい。このように平坦部に凹所が存在する場合であっても、第１の擬石１１の木口面１１ｅは該平坦部ｂに殆ど隙間なく当接し、雨水等の流入や下地サイディングが透けて見えることが防止される。
【００２３】
上記実施の形態はいずれも本発明の一例であり、本発明は図示以外の形態をもとりうる。
【図面の簡単な説明】
【００２４】
【図１】実施の形態に係る入隅構造を示す水平断面図である。
【図２】（ａ）は第１図における擬石同士の突き合せ部分の拡大図、（ｂ）は同（ａ）における第２の擬石の一端側付近の水平断面図である。
【図３】第１及び第２の擬石の突き合せ構造を示す分解斜視図である。
【符号の説明】
【００２５】
１  柱
１１，１２，１３  擬石
【図１】
0004525053.tif 000002
【図２】
0004525053.tif 000003
【図３】
0004525053.tif 000004